(57)【要約】      （修正有）【課題】少数の光源からの光をマイクロホンの周囲に向けて均等な強度で放射するマイクロホン用導光体を提供する。【解決手段】導光体９０は、円形の略板状である。導光体９０は、例えば、ポリメタクリル酸メチル樹脂（ＰＭＭＡ：Polymethylmethacrylate）などの透光性を有する樹脂製である。導光体９０は、中央孔９０ｈ１と、４つの分孔９０ｈ２、９０ｈ３、９０ｈ４、９０ｈ５と、４つの突出部９１、９２、９３、９４と、４つの溝９５、９６、９７、９８と、を備える。【選択図】図５
2019201365.tif 000002
【特許請求の範囲】
【請求項１】
マイクロホンユニットの動作状態に応じて発光する光源からの光を導光するマイクロホン用導光体であって、
前記マイクロホン用導光体は、板状であり、
前記光が入射する入射面と、
側面を有し、前記入射面に入射した前記光を反射する反射面が前記側面の一部に構成される溝と、
を有してなる、
ことを特徴とするマイクロホン用導光体。
【請求項２】
前記反射面を透過した前記光が放射される放射面と、
内周面を有し、前記反射面で反射された前記光を反射する再反射面が前記内周面の一部に構成される孔と、
を備え、
前記溝は、前記放射面と前記孔との間に配置され、
前記反射面は、前記入射面に入射した前記光を、前記孔に向けて反射する、
請求項１記載のマイクロホン用導光体。
【請求項３】
前記溝は、前記内周面に沿って配置される、
請求項２記載のマイクロホン用導光体。
【請求項４】
前記溝と前記放射面との距離は、前記溝のうち前記光源に最も近い部分が最も長い、
請求項２記載のマイクロホン用導光体。
【請求項５】
前記距離は、前記溝が前記光源から遠ざかるに連れて短くなる、
請求項４記載のマイクロホン用導光体。
【請求項６】
前記溝の深さは、前記溝のうち前記光源に最も近い部分が最も深い、
請求項２記載のマイクロホン用導光体。
【請求項７】
前記溝の幅は、前記溝のうち前記光源に最も近い部分が最も広い、
請求項２記載のマイクロホン用導光体。
【請求項８】
前記幅は、前記溝が前記光源から遠ざかるに連れて狭くなる、
請求項７記載のマイクロホン用導光体。
【請求項９】
前記マイクロホン用導光体は、円板状であり、
前記放射面は、外周面である、
請求項２記載のマイクロホン用導光体。
【請求項１０】
前記孔は、平面視中央に配置され、
前記入射面は、前記溝と前記孔との間に配置される、
請求項９記載のマイクロホン用導光体。
【請求項１１】
前記光源は、複数あり、
複数の前記光源ごとに配置される複数の前記入射面と、
複数の前記入射面ごとに配置される複数の前記溝と、
を備える、
請求項９記載のマイクロホン用導光体。
【請求項１２】
複数の前記入射面は、前記外周面の同心円上に等間隔に配置される、
請求項１１記載のマイクロホン用導光体。
【請求項１３】
前記入射面ごとの前記溝のうち、隣接する溝同士が連通する、
請求項１１記載のマイクロホン用導光体。
【請求項１４】
前記溝は、
第１方向に沿って配置される第１溝部と、
前記第１方向とは異なる第２方向に沿って配置される第２溝部と、
前記第１溝部と前記第２溝部とを連結する連結部と、
を含み、
前記入射面に入射した前記光は、前記連結部を介して、前記第１溝部と前記第２溝部とに導光される、
請求項１０記載のマイクロホン用導光体。
【請求項１５】
前記第１溝部の形状は、前記外周面の半径線に対して、前記第２溝部の形状と対称である、
請求項１４記載のマイクロホン用導光体。
【請求項１６】
マイクロホンユニットと、
前記マイクロホンユニットの動作状態に応じて発光する光源と、
前記光源からの光が入射して放射面に導光する導光体と、
を有してなり、
前記導光体は、請求項１記載のマイクロホン用導光体である、
ことを特徴とするマイクロホン。
【請求項１７】
前記マイクロホンユニットを収容するケース、
を備え、
前記放射面は、前記ケースの外部に露出する、
請求項１６記載のマイクロホン。
【発明の詳細な説明】
【技術分野】
【０００１】
本発明は、マイクロホン用導光体とマイクロホンとに関する。
【背景技術】
【０００２】
マイクロホンの中には、例えば、会議場や教室などで使用されるマイクロホンのように、マイクロホンの動作状態（マイクロホンの電源のＯＮ／ＯＦＦなどの状態）を会議の参加者や、マイクロホンのオペレータなどに報知する発光部（ＬＥＤ（Light Emitting Diode））を備えるマイクロホンがある（例えば、特許文献１参照）。
【０００３】
特許文献１に開示された技術は、ＬＥＤからの光を、導光材を介して広い範囲に放射することにより、マイクロホンユニットの動作状態をマイクロホンの周囲に向けて報知するものである。
【０００４】
特許文献１に開示されたマイクロホンは、１つのマイクロホンユニットと、２つのＬＥＤと、Ｃ字状の導光材と、を有してなる。ＬＥＤからの光は、導光材の両端に配置された入射部から導光材内に入射されて、導光材内を導光される。導光材の厚みは、入射部から遠ざかるに連れて薄くなるように構成される。そのため、導光材内の光は、入射部から遠ざかるに連れて収束され、導光材の全体から均一の光量で放射される。その結果、導光材は、マイクロホンの周囲に向けて、マイクロホンユニットの動作状態を報知する。
【０００５】
このように、特許文献１に開示された技術は、少ないＬＥＤからの光を導光材全体から均等な強度（光量）で放射することができる。そのため、同技術は、例えば、ファントム電源で駆動するコンデンサ型のマイクロホンユニットのように、マイクロホンユニットに印加される最大電流値やＬＥＤの数に制限があるマイクロホンであっても、同様の効果を奏する。
【０００６】
一方、マイクロホンの中には、指向性を可変させて複数の話者による会話を収音するために、複数のマイクロホンユニットを備えるマイクロホンがある（例えば、特許文献２参照）。
【先行技術文献】
【特許文献】
【０００７】
【特許文献１】特開２０１５−１１９２７１号公報
【特許文献２】特開２０１７−２８６０３号公報
【発明の概要】
【発明が解決しようとする課題】
【０００８】
特許文献２に開示されたマイクロホンの筐体は、複数のマイクロホンユニットを収容する。そのため、同筐体は、１つのマイクロホンユニットを収容する特許文献１に開示されたマイクロホンの筐体よりも、大きくなる。その結果、複数のマイクロホンユニットを備えるマイクロホンに、特許文献１に開示された技術を適用する場合、導光材の長さ、すなわち、ＬＥＤからの光を導光する距離が長くなる。しかし、ＬＥＤからの光は、導光材内を導光される距離に応じて、内部損失や導光材からの放射などの影響により減衰する。そのため、特許文献１に開示された技術では、光を均等の強度で放射させることが可能な導光材の長さには限界がある。したがって、複数のマイクロホンユニットを備えるマイクロホンに特許文献１に開示された技術を適用しても、ＬＥＤからの光は、導光部全体から均等な強度で放射されない。
【０００９】
本発明は、以上のような従来技術の問題点を解消するためになされたもので、少数の光源からの光をマイクロホンの周囲に向けて均等な強度で放射することを目的とする。
【課題を解決するための手段】
【００１０】
本発明は、マイクロホンユニットの動作状態に応じて発光する光源からの光を導光するマイクロホン用導光体であって、板状であり、光が入射する入射面と、入射面に入射した光を反射する反射面により側面の一部が構成される溝と、を有してなる、ことを特徴とする。
【発明の効果】
【００１１】
本発明によれば、マイクロホンユニットを収容する筐体の大きさに関わらず、少ない光源からの光をマイクロホンの周囲に向けて均等な強度で放射することができる。
【図面の簡単な説明】
【００１２】
【図１】本発明にかかるマイクロホンの実施の形態を示す外観図である。
【図２】図１のマイクロホンが備えるヘッドケースが取り外された状態のマイクロホンの斜視図である。
【図３】図２のマイクロホンのＡ矢視図である。
【図４】図１のマイクロホンの図３のＢＢ線における断面図である。
【図５】本発明にかかるマイクロホン用導光体の斜視図である。
【図６】図５の導光体の底面図である。
【図７】図６の導光体のＣ矢視図である。
【図８】図６の導光体のＤＤ線における断面図である。
【図９】図６の導光体が備える第１導光領域のＤＤ線における拡大断面模式図である。
【図１０】図９の第１導光領域のＥＥ線における拡大断面模式図である。
【図１１】図９の第１導光領域のＥＥ線における別の拡大断面模式図である。
【図１２】図６の導光体により導光される光の強度を示す模式図である。
【図１３】図１のマイクロホンの動作の例を示す模式図である。
【図１４】本発明にかかるマイクロホン用導光体の別の実施の形態を示す模式図である。
【図１５】本発明にかかるマイクロホン用導光体のさらに別の実施の形態を示す模式図である。
【発明を実施するための形態】
【００１３】
以下、図面を参照しながら、本発明にかかるマイクロホンとマイクロホン用導光体（以下「本導光体」という。）との実施の形態について説明する。
【００１４】
●マイクロホン●
●マイクロホンの構成
図１は、本発明にかかるマイクロホンの実施の形態を示す外観図である。
【００１５】
マイクロホン１は、音源（不図示）からの音波を収音して、音波を電気信号に変換する。マイクロホン１は、例えば、会議室やステージの天井に吊り下げられた状態で使用される、いわゆるハンギングマイクロホンである。
【００１６】
以下の説明において、マイクロホン１を吊り下げる天井側（図１の紙面上側）の方向を上方といい、その反対側（図１の紙面下側）の方向を下方という。
【００１７】
図２は、マイクロホン１の斜視図である。
図３は、図２のマイクロホン１のＡ矢視図である。
図４は、図３のマイクロホン１のＢＢ線における断面図である。
図２は、後述するヘッドケース１０が取り外された状態のマイクロホン１を斜め下方から見た斜視図である。図３は、同マイクロホン１を真下から見た底面図である。
【００１８】
マイクロホン１は、ヘッドケース１０と、第１ハウジング２０と、第２ハウジング３０と、ユニット支持部材４０と、ユニット部５０と、支持部材６０と、回路基板７０と、発光部８０と、導光体９０と、を有してなる。
【００１９】
ヘッドケース１０は、ユニット部５０を保護する。ヘッドケース１０は、ケース部１１と固定部１２とを備える。ケース部１１は、ユニット部５０を保護する。ケース部１１は、例えば、鋼鉄製のアウターグリルと、金属メッシュ（不図示）と、で構成される。ケース部１１は、上端に開口を有する椀状である。固定部１２は、ケース部１１を支持部材６０に固定する。固定部１２は、リング状である。固定部１２は、ケース部１１の上端（開口端）に取り付けられる。固定部１２の内周面は、雌ねじ面が形成された雌ねじ部１２ａを構成する。
【００２０】
第１ハウジング２０は、支持部材６０と、回路基板７０と、発光部８０と、を収容する。第１ハウジング２０は、例えば、合成樹脂製である。第１ハウジング２０は、上下端に開口を有し、下端側に向けて急激に拡径する略円錐筒状である。
【００２１】
第２ハウジング３０は、ユニット部５０からの音声信号や、ユニット部５０や発光部８０などへ供給される電力を伝送するケーブル（不図示）などを収容する。第２ハウジング３０は、例えば、合成樹脂製である。第２ハウジング３０は、細長い円筒状である。
【００２２】
ユニット支持部材４０は、ユニット部５０を支持する。ユニット部５０は、格子状のフレーム４１と、４つの支柱４２，４３，４４，４５と、傘状の保護カバー４６と、を備える。支柱４２−４５は、保護カバー４６の下面の外縁部に取り付けられる。フレーム４１は、保護カバー４６と対向するように、支柱４２−４５の下端に取り付けられる。
【００２３】
ユニット部５０は、音源からの音波を収音して、音波を電気信号に変換する。ユニット部５０は、４つのマイクロホンユニット（以下「ユニット」という。）５１，５２，５３，５４を備える。ユニット５１は、例えば、無指向性のコンデンサ型マイクロホンユニットである。ユニット５２−５４は、例えば、双指向性のコンデンサ型マイクロホンユニットである。ユニット５１は、収音軸（指向軸）が上下方向を向くように、フレーム４１に嵌め込まれる。ユニット５２，５３は、それぞれの収音軸（指向軸）が１２０°間隔となるように、フレーム４１に嵌め込まれる。ユニット５４は、収音軸（指向軸）が上下方向に向くように、保護カバー４６の下面の略中央に取り付けられる。
【００２４】
なお、ユニットの型は、コンデンサ型に限定されない。すなわち、例えば、ユニットは、ダイナミック型マイクロホンユニットでもよい。
【００２５】
支持部材６０は、ヘッドケース１０と、第２ハウジング３０と、回路基板７０と、を支持する。支持部材６０は、金属製である。支持部材６０は、下方に開口する円形の皿状である。支持部材６０は、第１ハウジング２０に収容されて、第１ハウジング２０の下端側の開口を覆うように固定される。支持部材６０は、４つの雄ねじ部６０ａ，６０ｂ，６０ｃ，６０ｄと、支持部６０ｅと、支持孔６０ｈと、を備える。
【００２６】
雄ねじ部６０ａ−６０ｄは、ヘッドケース１０の雌ねじ部１２ａに嵌め込まれて、ヘッドケース１０を支持部材６０に固定する。雄ねじ部６０ａ−６０ｄは、支持部材６０の開口端から下方に突出する湾曲板状である。雄ねじ部６０ａ−６０ｄの外周面は、雌ねじ部１２ａの雌ねじ面に対応する雄ねじ面である。雄ねじ部６０ａ−６０ｄは、支持部材６０の周方向に等角度（本実施の形態では９０°）間隔で配置される。支持部６０ｅと支持孔６０ｈとは、第２ハウジング３０の下端と、ユニット支持部材４０と、を支持する。支持部６０ｅは、支持部材６０の中央から下方に突出する円柱状である。支持孔６０ｈは、支持部６０ｅの中央に配置される。
【００２７】
回路基板７０は、発光部８０やマイクロホン１の動作に必要な電気回路を実装する。回路基板７０は、中央に円孔を有する円板状である。回路基板７０は、支持部材６０に収容されて、支持部材６０に固定される。
【００２８】
発光部８０は、４つのユニット５１−５４の動作状態に応じて発光する。発光部８０は、多色に発光する４つのＬＥＤ（Light Emitting Diode）８１，８２，８３，８４で構成される。各ＬＥＤ８１−８４は、本発明における光源である。各ＬＥＤ８１−８４は、回路基板７０の下面の外縁寄りに、回路基板７０の周方向に等角度（本実施の形態では９０°）間隔に配置（実装）される。
【００２９】
「ユニット５１−５４の動作状態」は、例えば、マイクロホン１がＯＮかつユニット５１−５４が音波を収音可能な状態と、マイクロホン１の電源がＯＮかつユニット５１−５４が音波を収音不可能な状態と、マイクロホン１の電源がＯＦＦの状態（ユニット５１−５４が音波を収音不可能な状態）と、を含む。各ＬＥＤ８１−８４は、例えば、マイクロホン１の電源がＯＮかつユニット５１−５４が音波を収音可能な状態では「緑」に点灯し、マイクロホン１の電源がＯＮかつユニット５１−５４が音波を収音不可能な状態では「赤」に点灯し、マイクロホン１の電源がＯＦＦの状態では消灯する。
【００３０】
導光体９０は、発光部８０からの光を導いて（導光して）、外周面９０ａから外部へ向けて放射する。すなわち、外周面９０ａは、導光体９０が導光する光が放射される放射面である。導光体９０は、本導光体である。導光体９０の構成については、後述する。
【００３１】
第２ハウジング３０の下端部は、第１ハウジング２０の下端側の開口から第１ハウジング２０に挿入されて、支持部材６０の支持孔６０ｈに嵌め込まれる。ユニット支持部材４０は、支持部材６０の支持部６０ｅに固定される。導光体９０は、第１ハウジング２０の下端面（下端側の開口面）に配置される。支持部材６０の雄ねじ部６０ａ−６０ｄは、ヘッドケース１０の雌ねじ部１２ａにねじ込まれる。その結果、ユニット支持部材４０とユニット部５０とは、ヘッドケース１０に収容される。導光体９０の外周縁部は、ヘッドケース１０と第１ハウジング２０とに挟持される。このとき、導光体９０の外周面９０ａは、ヘッドケース１０と第１ハウジング２０それぞれの外部に露出する。すなわち、ヘッドケース１０と第１ハウジング２０とは、ユニット部５０を収容する、本発明におけるケースを構成する。
【００３２】
●マイクロホン用導光体の構成
図５は、本導光体の実施の形態を示す斜視図である。
同図は、ＬＥＤ８３，８４を併せて示す。
【００３３】
導光体９０は、円形の略板状である。導光体９０は、例えば、ポリメタクリル酸メチル樹脂（ＰＭＭＡ：Polymethyl methacrylate）などの透光性を有する樹脂製である。導光体９０は、中央孔９０ｈ１と、４つの分孔９０ｈ２，９０ｈ３，９０ｈ４，９０ｈ５と、４つの突出部９１，９２，９３，９４と、４つの溝９５，９６，９７，９８と、を備える。
【００３４】
図６は、導光体９０の底面図である。
同図は、ＬＥＤ８１−８４を二点鎖線で併せて示す。
【００３５】
中央孔９０ｈ１は、各ＬＥＤ８１−８４からの光が各ＬＥＤ８１−８４に対応する入射面９１ａ−９４ａ（後述）のみに入光されるように、入射面９１ａ−９４ａ同士を離間させる。中央孔９０ｈ１は、円形で、底面視（または平面視）において、導光体９０の中央に配置される。入射面９１ａ−９４ａについては、後述する。
【００３６】
各分孔９０ｈ２−９０ｈ５は、溝９５−９８と共に、導光路の一部を形成する。各分孔９０ｈ２−９０ｈ５は、中央孔９０ｈ１よりも小径の円形で、中央孔９０ｈ１の周囲に、中央孔９０ｈ１の周方向に等角度間隔で配置される。各分孔９０ｈ２−９０ｈ５は、中央孔９０ｈ１と連通して、中央孔９０ｈ１と共に１つの孔を構成する。
【００３７】
各突出部９１−９４は、対応するＬＥＤ８１−８４からの光を対応する溝９５−９８に向けて導光する。各突出部９１−９４は、中央孔９０ｈ１に向けて凸であり、底面視において山状である。各突出部９１−９４は、中央孔９０ｈ１の周囲に、中央孔９０ｈ１の周方向に等角度（本実施の形態では９０°）間隔に配置される。
【００３８】
図７は、導光体９０の図６のＣ矢視である。
図８は、導光体９０の図６のＤＤ線における断面図である。
【００３９】
突出部９１の上面のうち、中央孔９０ｈ１（図６参照）に隣接する部分は、下方に向けて凹む入射面９１ａである。入射面９１ａは、ＬＥＤ８１からの光を導光体９０内に入射させる（入光させる）面である。入射面９１ａは、突出部９１の上面と平行である。入射面９１ａは、底面視（または平面視）において、溝９５と中央孔９０ｈ１との間に配置される。
【００４０】
突出部９１の下面のうち、中央孔９０ｈ１に隣接する部分（入射面９１ａに対向する部分）は、導光体９０の外周縁側かつ下方に向けて傾斜する第１反射面９１ｂである。すなわち、第１反射面９１ｂは、入射面９１ａの下方に、入射面９１ａに対して傾斜して配置される。第１反射面９１ｂは、入射面９１ａから導光体９０内に入射した光を導光体９０の径方向外側（溝９５側）に向けて反射する面である。
【００４１】
突出部９１の下面のうち、第１反射面９１ｂよりも導光体９０の外周縁側の部分は、導光体９０の外周縁側かつ上方に向けて傾斜する第２反射面９１ｃである。第２反射面９１ｃは、第１反射面９１ｂからの光の一部を反射する面である。
【００４２】
突出部９２−９４の構成は、突出部９１の構成と共通する。すなわち、導光体９０は、図５−８に示されるように、入射面９１ａ，９２ａ，９３ａ，９４ａと、第１反射面９１ｂ，９２ｂ，９３ｂ，９４ｂと、第２反射面９１ｃ，９２ｃ，９３ｃ，９４ｃと、を備える。
【００４３】
図６に戻る。
各入射面９１ａ−９４ａ（図５参照）は、導光体９０の周方向に等角度（本実施の形態では９０°）間隔に配置される。各第１反射面９１ｂ−９４ｂは、導光体９０の周方向に等角度（本実施の形態では９０°）間隔に配置される。各第２反射面９１ｃ−９４ｃは、導光体９０の周方向に等角度（本実施の形態では９０°）間隔に配置される。換言すれば、各入射面９１ａ−９４ａと、各第１反射面９１ｂ−９４ｂと、各第２反射面９１ｃ−９４ｃそれぞれは、底面視（または平面視）において、導光体９０の外周面９０ａの同心円上に等角度（本実施の形態では９０°）間隔に配置される。
【００４４】
突出部９１はＬＥＤ８１を下方から庇状に覆い、突出部９２はＬＥＤ８２を下方から庇状に覆い、突出部９３はＬＥＤ８３を下方から庇状に覆い、突出部９４はＬＥＤ８４を下方から庇状に覆う（図５，図８も併せて参照）。その結果、入射面９１ａはＬＥＤ８１と対向し、入射面９２ａはＬＥＤ８２と対向し、入射面９３ａはＬＥＤ８３と対向し、入射面９４ａはＬＥＤ８４と対向する。すなわち、入射面９１ａ−９４ａは、ＬＥＤ８１−８４ごとに配置される。
【００４５】
各溝９５−９８は、各分孔９０ｈ２−９０ｈ５と共に、後述する各導光路Ｌ１１−Ｌ４２の一部を形成する。各溝９５−９８は、底面視において、扁平な略Ｖ字状である。各溝９５−９８は、導光体９０の下面において、中央孔９０ｈ１と分孔９０ｈ２−９０ｈ５と、導光体９０の外周面９０ａと、の間に、導光体９０の周方向に等角度（本実施の形態では９０°）間隔で配置される。
【００４６】
各溝９５−９８の底面は、導光体９０の上面と平行である。各溝９５−９８の底面は、上下方向（導光体９０の厚み方向）において、各溝９５−９８に対応する入射面９１ａ−９４ａよりも上方に位置する。
【００４７】
溝９５は、第１溝部９５ａと、第２溝部９５ｂと、第１溝部９５ａと第２溝部９５ｂとを連結する連結部９５ｃと、を含む。
【００４８】
第１溝部９５ａは、分孔９０ｈ２と、導光体９０の外周面９０ａと、の間に配置される。第１溝部９５ａは、底面視において、導光体９０の内周面のうち、分孔９０ｈ２に対応する内周面９０ｈ２ａに沿う円弧状である。すなわち、内周面９０ｈ２ａに沿う方向は、溝９５についての本発明における第１方向である。第１溝部９５ａの幅は、連結部９５ｃから遠ざかるに連れて狭くなる。第１溝部９５ａの先端部（連結部９５ｃから遠い側の端部）は、底面視において、半円状である。
【００４９】
第２溝部９５ｂは、分孔９０ｈ３と、導光体９０の外周面９０ａと、の間に配置される。第２溝部９５ｂは、底面視において、導光体９０の内周面のうち、分孔９０ｈ３に対応する内周面９０ｈ３ａに沿う円弧状である。すなわち、内周面９０ｈ３ａに沿う方向は、溝９５についての本発明における第２方向である。第２溝部９５ｂの幅は、連結部９５ｃから遠ざかるに連れて狭くなる。第２溝部９５ｂの先端部（連結部９５ｃから遠い側の端部）は、底面視において、半円状である。
【００５０】
連結部９５ｃは、中央孔９０ｈ１と、導光体９０の外周面９０ａと、の間であって、第２反射面９１ｃに配置される。連結部９５ｃの中央孔９０ｈ１側の側面は、底面視において、半円状である。
【００５１】
連結部９５ｃは、前述のとおり、第２反射面９１ｃに配置される。そのため、溝９５において、連結部９５ｃの深さは、連結部９５ｃが最も深い。換言すれば、溝９５のうち、連結部９５ｃの深さは、ＬＥＤ８１に最も近い部分が最も深い。ここで「深さ」は、溝９５の底面から溝９５に接する導光体９０の下面までの上下方向に沿う長さ（距離）である。
【００５２】
なお、連結部は、導光体の径方向において、第２反射面よりも外側の領域、すなわち、導光体の上面と下面とが平行な領域に配置されてもよい。この場合、連結部の深さは、第１溝部の深さと、第２溝部の深さと同じである。すなわち、溝の深さは、溝全体において一定である。
【００５３】
連結部９５ｃは、底面視において、導光体９０の半径線上にＬＥＤ８１と入射面９１ａと並んで配置される。すなわち、溝９５のうち、連結部９５ｃは、ＬＥＤ８１の最も近くに配置される。換言すれば、連結部９５ｃは、溝９５のうち、ＬＥＤ８１に最も近い部分である。第１溝部９５ａは、同半径線に対して、第２溝部９５ｂと対称に配置される。第１溝部９５ａの形状は、同半径線に対して、第２溝部９５ｂの形状と対称である。
【００５４】
第１溝部９５ａと第２溝部９５ｂとは、ＬＥＤ８１から遠ざかるに連れて、導光体９０の外周面９０ａに近づく。そのため、溝９５と外周面９０ａとの距離は、溝９５のうちＬＥＤ８１に最も近い部分（連結部９５ｃ）が最も長く、ＬＥＤ８１から遠ざかるに連れて短くなる。
【００５５】
前述のとおり、第１溝部９５ａと第２溝部９５ｂそれぞれの幅は、連結部９５ｃから遠ざかるに連れて狭くなる。換言すれば、第１溝部９５ａの幅と第２溝部９５ｂの幅それぞれは、溝９５のうちＬＥＤ８１に最も近い部分が最も広く、ＬＥＤ８１から遠ざかるに連れて狭くなる。
【００５６】
溝９６−９８の構成は、溝９５の構成と共通する。すなわち、溝９６は、第１溝部９６ａと第２溝部９６ｂと連結部９６ｃとを含む。溝９７は、第１溝部９７ａと第２溝部９７ｂと連結部９７ｃとを含む。溝９８は、第１溝部９８ａと第２溝部９８ｂと連結部９８ｃとを含む。ＬＥＤ８１と溝９５との位置関係は、ＬＥＤ８２と溝９６との位置関係と、ＬＥＤ８３と溝９７との位置関係と、ＬＥＤ８４と溝９８との位置関係それぞれと、共通する。換言すれば、各溝９５−９８は、ＬＥＤ８１−８４に対応する入射面９１ａ−９４ａごとに配置される。
【００５７】
導光体９０のうち、底面視において、中央孔９０ｈ１の中心点と分孔９０ｈ２の中心点とを結ぶ直線（図６の破線）と、中央孔９０ｈ１の中心点と分孔９０ｈ３の中心点とを結ぶ直線（図６の破線）と、で区画される部分は、第１導光領域Ｌ１を構成する。
【００５８】
第１導光領域Ｌ１は、ＬＥＤ８１からの光を外周面９０ａに向けて導光する領域である。第１導光領域Ｌ１は、第１導光路Ｌ１１と、第２導光路Ｌ１２と、第１拡散路Ｄ１１と、第２拡散路Ｄ１２と、第３拡散路Ｄ１３と、を含む。
【００５９】
第１導光路Ｌ１１は、ＬＥＤ８１からの光を第１拡散路Ｄ１１と第２拡散路Ｄ１２とに向けて導光する。第１導光路Ｌ１１は、導光体９０のうち、底面視において、第１溝部９５ａと分孔９０ｈ２との間の略円弧状の領域である。
【００６０】
第１導光路Ｌ１１において、第１溝部９５ａの分孔９０ｈ２側の側面９５ａ１は、入射面９１ａに入射した光を反射する反射面として機能する。すなわち、反射面が、溝９５の側面の一部に構成される。
【００６１】
一方、第１導光路Ｌ１１において、導光体９０の内周面のうち、分孔９０ｈ２に対応する内周面９０ｈ２ａは、反射面（側面９５ａ１）で反射された光を反射する再反射面として機能する。すなわち、内周面９０ｈ２ａの一部は、再反射面として機能する。換言すれば、再反射面が、分孔９０ｈ２の内周面９０ｈ２ａの一部に構成される。
【００６２】
第２導光路Ｌ１２は、ＬＥＤ８１からの光を第１拡散路Ｄ１１と第３拡散路Ｄ１３とに向けて導光する。第２導光路Ｌ１２は、底面視において、第２溝部９５ｂと分孔９０ｈ３との間の円弧状の領域である。
【００６３】
第２導光路Ｌ１２において、第２溝部９５ｂの分孔９０ｈ３側の側面９５ｂ１は、入射面９１ａに入射した光を反射する反射面として機能する。すなわち、反射面が、溝９５の側面の一部に構成される。
【００６４】
一方、第２導光路Ｌ１２において、導光体９０の内周面のうち、分孔９０ｈ３に対応する内周面９０ｈ３ａは、反射面（側面９５ｂ１）で反射された光を反射する再反射面として機能する。すなわち、内周面９０ｈ３ａの一部は、再反射面として機能する。換言すれば、再反射面が、分孔９０ｈ３の内周面９０ｈ３ａの一部に構成される。
【００６５】
第１拡散路Ｄ１１は、第１導光路Ｌ１１と第２導光路Ｌ１２から導光された光を拡散させながら導光体９０の外周面９０ａに導光して、外周面９０ａから略均等に放射させる。第１拡散路Ｄ１１は、底面視において、溝９５と外周面９０ａとの間の略扇状の領域である。
【００６６】
第２拡散路Ｄ１２は、第１導光路Ｌ１１から導光された光を拡散させながら導光体９０の外周面９０ａに導光して、外周面９０ａから略均等に放射させる。第２拡散路Ｄ１２は、底面視において、分孔９０ｈ２と外周面９０ａとの間の円弧状の領域である。第２拡散路Ｄ１２の下面は、外周縁部（外周面９０ａ側の部分）を除き、導光体９０の内周縁側かつ上方に向けて傾斜する傾斜面である（図５参照）。
【００６７】
第３拡散路Ｄ１３は、第２導光路Ｌ１２から導光された光を拡散させながら外周面９０ａに導光して、外周面９０ａから略均等に放射させる。第３拡散路Ｄ１３は、底面視において、分孔９０ｈ３と外周面９０ａとの間の円弧状の領域である。第３拡散路Ｄ１３の下面は、外周縁部を除き、導光体９０の内周縁側かつ上方に向けて傾斜する傾斜面である（図５参照）。
【００６８】
第１導光領域Ｌ１において、導光体９０の上面と下面それぞれは、光を反射する反射面として機能する。すなわち、例えば、第１導光路Ｌ１１に導光される光は、導光体９０の上面と下面とにも反射されて、第２拡散路Ｄ１２に導光される。
【００６９】
導光体９０のうち、底面視において、中央孔９０ｈ１の中心点と分孔９０ｈ３の中心点とを結ぶ直線（図６の破線）と、中央孔９０ｈ１の中心点と分孔９０ｈ４の中心点とを結ぶ直線（図６の破線）と、で区画される部分は、第２導光領域Ｌ２を構成する。第２導光領域Ｌ２の構成と形状とは、第１導光領域Ｌ１の構成と形状と共通する。すなわち、第２導光領域Ｌ２は、第１導光路Ｌ２１と、第２導光路Ｌ２２と、第１拡散路Ｄ２１と、第２拡散路Ｄ２２と、第３拡散路Ｄ２３と、を含む。第２拡散路Ｄ２２は、第１導光領域Ｌ１の第３拡散路Ｄ１３と接続する。
【００７０】
導光体９０のうち、底面視において、中央孔９０ｈ１の中心点と分孔９０ｈ４の中心点とを結ぶ直線（図６の破線）と、中央孔９０ｈ１の中心点と分孔９０ｈ５の中心点とを結ぶ直線（図６の破線）と、で区画される部分は、第３導光領域Ｌ３を構成する。第３導光領域Ｌ３の構成と形状とは、第１導光領域Ｌ１の構成と形状と共通する。すなわち、第３導光領域Ｌ３は、第１導光路Ｌ３１と、第２導光路Ｌ３２と、第１拡散路Ｄ３１と、第２拡散路Ｄ３２と、第３拡散路Ｄ３３と、を含む。第２拡散路Ｄ３２は、第２導光領域Ｌ２の第３拡散路Ｄ２３と接続する。
【００７１】
導光体９０のうち、底面視において、中央孔９０ｈ１の中心点と分孔９０ｈ５の中心点とを結ぶ直線（図６の破線）と、中央孔９０ｈ１の中心点と分孔９０ｈ２の中心点とを結ぶ直線（図６の破線）と、で区画される部分は、第４導光領域Ｌ４を構成する。第４導光領域Ｌ４の構成と形状とは、第１導光領域Ｌ１の構成と形状と共通する。すなわち、第４導光領域Ｌ４は、第１導光路Ｌ４１と、第２導光路Ｌ４２と、第１拡散路Ｄ４１と、第２拡散路Ｄ４２と、第３拡散路Ｄ４３と、を含む。第２拡散路Ｄ４２は、第３導光領域Ｌ３の第３拡散路Ｄ３３と接続する。第３拡散路Ｄ４３は、第１導光領域Ｌ１の第２拡散路Ｄ１２と接続する。
【００７２】
図３に戻る。
分孔９０ｈ２には雄ねじ部６０ａが配置され、分孔９０ｈ３には雄ねじ部６０ｂが配置され、分孔９０ｈ４には雄ねじ部６０ｃが配置され、分孔９０ｈ５には雄ねじ部６０ｄが配置される。
【００７３】
●マイクロホン用導光体の動作
図６に戻る。
導光体９０は、ＬＥＤ８１−８４からの光を、第１導光領域Ｌ１，第２導光領域Ｌ２，第３導光領域Ｌ３，第４導光領域Ｌ４，を用いて、外周面９０ａに導光して、同外周面９０ａから略均等に放出する。第１導光領域Ｌ１と第２導光領域Ｌ２と第３導光領域Ｌ３と第４導光領域Ｌ４それぞれの動作は、光源とするＬＥＤ８１−８４が異なる点を除き、共通する。したがって、導光体９０の動作について、第１導光領域Ｌ１の動作を例に、以下説明する。
【００７４】
図９は、図６の第１導光領域Ｌ１のＤＤ線における拡大断面模式図である。
同図は、ＬＥＤ８１も併せて示す。同図の実線矢印は、ＬＥＤ８１からの光が導光される経路を模式的に示す（以下、図１０−図１２において同じ）。同図の白抜き矢印は、導光される光の強度（光量）を同矢印の大きさにより模式的に示す（以下、図１０−図１２において同じ）。
【００７５】
図１０は、図９の第１導光領域Ｌ１のＥＥ線における拡大断面模式図である。
同図の二点鎖線は、ＬＥＤ８１を示す。同図は、ＬＥＤ８１からの光が第１導光路Ｌ１１内と第２導光路Ｌ１２内とを導光される様子を模式的に示す。
【００７６】
ＬＥＤ８１からの光は、入射面９１ａから第１導光領域Ｌ１（導光体９０）の内部に入射される。入射面９１ａに入射した光は、第１反射面９１ｂと、第２反射面９１ｃの一部と、で反射されて、第１溝部９５ａ（第１導光路Ｌ１１）と、第２溝部９５ｂ（第２導光路Ｌ１２）と、連結部９５ｃと、に向けて導光される。このとき、溝９５の底面は、前述のとおり、上下方向において、入射面９１ａよりも上方に位置する。そのため、入射面９１ａから入射した光は、溝９５の底面と導光体９０の上面との間から直接、第１拡散路Ｄ１１に進行せず、溝９５に向けて導光される。
【００７７】
第１導光路Ｌ１１において、第１溝部９５ａに向かう光の一部は、第１溝部９５ａの側面（反射面）９５ａ１で反射されて、分孔９０ｈ２に向けて導光される。すなわち、側面（反射面）９５ａ１は、入射面９１ａに入射した光を、分孔９０ｈ２に向けて反射する。
【００７８】
第１導光路Ｌ１１において、分孔９０ｈ２に導光される光の一部は、内周面（再反射面）９０ｈ２ａで反射されて、第１溝部９５ａや第２拡散路Ｄ１２に向けて導光される。
【００７９】
第２導光路Ｌ１２において、第２溝部９５ｂに向かう光の一部は、第２溝部９５ｂの側面（反射面）９５ｂ１で反射されて、分孔９０ｈ３に向けて導光される。すなわち、側面（反射面）９５ｂ１は、入射面９１ａに入射した光を、分孔９０ｈ３に向けて反射する。
【００８０】
第２導光路Ｌ１２において、分孔９０ｈ３に導光される光の一部は、内周面（再反射面）９０ｈ３ａで反射されて、第２溝部９５ｂや第３拡散路Ｄ１３に向けて導光される。
【００８１】
連結部９５ｃに導光される光の一部は、連結部９５ｃの側面により反射されて、第１導光路Ｌ１１と第２導光路Ｌ１２とに向けて導光される。第１導光路Ｌ１１に導光される光は、第１溝部９５ａの側面（反射面）９５ａ１と、内周面（再反射面）９０ｈ２ａと、で反射されながら第２拡散路Ｄ１２に導光される。一方、第２導光路Ｌ１２に導光される光は、第２溝部９５ｂの側面（反射面）９５ｂ１と、内周面（再反射面）９０ｈ３ａと、により反射されながら第３拡散路Ｄ１３に導光される。換言すれば、入射面９１ａに入射した光は、連結部９５ｃを介して、第１溝部９５ａと第２溝部９５ｂとに導光される。
【００８２】
このように、第１導光路Ｌ１１に導光される光は、第１溝部９５ａの側面（反射面）９５ａ１と、内周面（再反射面）９０ｈ２ａと、で反射されながら第２拡散路Ｄ１２に導光される。このとき、第１導光路Ｌ１１に導光される光の強度は、第１導光路Ｌ１１内での光の拡散による内部損失や、第１導光路Ｌ１１からの放射などの影響により、ＬＥＤ８１から遠ざかるほど減衰する。
【００８３】
一方、第２導光路Ｌ１２に導光される光は、第２溝部９５ｂの側面（反射面）９５ｂ１と、内周面（再反射面）９０ｈ３ａと、により反射されながら第３拡散路Ｄ１３に導光される。このとき、第２導光路Ｌ１２に導光される光の強度は、第２導光路Ｌ１２内での光の拡散による内部損失や、第２導光路Ｌ１２からの放射などの影響により、ＬＥＤ８１から遠ざかるほど減衰する。
【００８４】
第２拡散路Ｄ１２と第３拡散路Ｄ１３それぞれに導光される光は、第２拡散路Ｄ１２と第３拡散路Ｄ１３それぞれの内部で拡散されて、外周面９０ａから放射される。ここで、第２拡散路Ｄ１２と第３拡散路Ｄ１３それぞれの下面は、前述のとおり、導光体９０の内周縁側かつ上方に向けて傾斜する傾斜面である。そのため、第２拡散路Ｄ１２と第３拡散路Ｄ１３それぞれに導光される光は、同傾斜面により、外周面９０ａに向けて導光されやすい。
【００８５】
第２拡散路Ｄ１２に導光される光の一部は、外周面９０ａに加えて、接続する第４導光領域Ｌ４の第３拡散路Ｄ４３にも導光される。同様に、第３拡散路Ｄ１３に導光される光の一部は、外周面９０ａに加えて、接続する第２導光領域Ｌ２の第２拡散路Ｄ２２にも導光される。
【００８６】
ここで、第１導光路Ｌ１１に導光される光の一部は、第１溝部９５ａの側面（反射面）９５ａ１を透過して、第１溝部９５ａから第１拡散路Ｄ１１に入射される。また、第２導光路Ｌ１２に導光される光の一部は、第２溝部９５ｂの側面（反射面）９５ｂ１を透過して、第２溝部９５ｂから第１拡散路Ｄ１１に入射される。
【００８７】
図１１は、図９の第１導光領域Ｌ１のＥＥ線における別の拡大断面模式図である。
同図の二点鎖線は、ＬＥＤ８１を示す。同図は、ＬＥＤ８１からの光の一部が反射面（側面９５ａ１，９５ｂ１）を透過して第１拡散路Ｄ１１内を導光される様子を模式的に示す。
【００８８】
溝９５から第１拡散路Ｄ１１に入射（導光）される光は、第１拡散路Ｄ１１内で拡散されて、外周面９０ａから放射される。第１拡散路Ｄ１１内を導光される光の強度は、連結部９５ｃ近傍が最も強く、第１拡散路Ｄ１１内での光の拡散などによる内部損失や、第１拡散路Ｄ１１からの放射などの影響により、連結部９５ｃから遠ざかるほど減衰する。
【００８９】
ここで、溝９５は、光を反射すると共に、光が通過する領域であり、発光しない。したがって、側方（導光体９０の径方向）視において、外周面９０ａから見た溝９５は、暗い影として外周面９０ａに現れる。溝９５による影の暗さは、溝９５の幅と、溝９５と外周面９０ａとの距離と、に依存する。すなわち、溝９５の影の暗さは、溝９５の幅が広くなると暗くなり、溝９５と外周面９０ａとの距離が長くなると暗くなる。
【００９０】
前述のとおり、溝９５の幅は、光源であるＬＥＤ８１から遠ざかるに連れて狭くなる。また、溝９５と外周面９０ａとの距離は、ＬＥＤ８１から遠ざかるに連れて短くなる。そのため、溝９５による影の暗さは、第１拡散路Ｄ１１内を導光される光の強度に対して調整される。すなわち、第１拡散路Ｄ１１により導光されて外周面９０ａから放射される光の強度は、光源であるＬＥＤ８１に対する溝９５の形状や配置により調整される。換言すれば、本発明における溝９５−９８の形状や配置は、第１拡散路Ｄ１１−Ｄ４１に導光されて外周面９０ａから放射される光の強度が均等になり、かつ、第２拡散路Ｄ１２−Ｄ４２と第３拡散路Ｄ１３−Ｄ４３それぞれに導光されて外周面９０ａから放射される光の強度とほぼ同等になるように、調整される。
【００９１】
図１２は、第１導光領域Ｌ１と第２導光領域Ｌ２と第４導光領域Ｌ４により導光される光の強度を示す模式図である。
同図は、各導光領域Ｌ１，Ｌ２，Ｌ４に導光されて外周面９０ａから放射される光の強度が、溝９５，９６，９８により調整されて、略均等になっていることを示す。
【００９２】
このように、導光体９０は、各ＬＥＤ８１−８４に対応する各導光路Ｌ１１，Ｌ１２，Ｌ２１，Ｌ２２，Ｌ３１，Ｌ３２，Ｌ４１，Ｌ４２を、各ＬＥＤ８１−８４に対応する溝９５−９８と、分孔９０ｈ１−９０ｈ４と、により形成して、各ＬＥＤ８１−８４からの光を外周面９０ａから均等な強度で放射する。換言すれば、導光体９０は、各ＬＥＤ８１−８４に対応する溝９５−９８の形状や配置により、各第１拡散路Ｄ１１−Ｄ４１から外周面９０ａに放射される光の強度を調整する。その結果、導光体９０は、各ＬＥＤ８１−８４からの光を外周面９０ａ全体から均等な強度で放射可能である。
【００９３】
●マイクロホンの動作
マイクロホン１の使用者により、マイクロホン１の電源がＯＮされると、ＬＥＤ８１−８４は赤色に発光する（点灯する）。ＬＥＤ８１−８４からの光は、導光体９０に導光されて、外周面９０ａからマイクロホン１の外部に均等な強度で放射される。
【００９４】
図１３は、マイクロホン１の動作の例を示す模式図である。
同図は、ヘッドケース１０とユニット支持部材４０とユニット部５０とを取り外した状態において、導光体９０が発光部８０（図１３では不図示）からの光を導光している状態を示す。同図は、導光体９０の明るさを黒点の数で示す。すなわち、同図は、黒点の数が多いほど暗い領域を示し、黒点の数が少ないほど明るい領域を示す。
【００９５】
●まとめ
以上説明した実施の形態によれば、導光体９０は、板状で、入射面９１ａ−９４ａと溝９５−９８とを備える。入射面９１ａ−９４ａから入射した発光部８０からの光は、反射面である溝９５−９８の側面９５ａ１−９８ａ１，９５ｂ１−９８ｂ１（図６参照）に反射されて、導光体９０内を導光される。このように、溝９５−９８の側面９５ａ１−９８ａ１，９５ｂ１−９８ｂ１を反射面として機能させることにより、導光体９０は、溝９５−９８の形状や配置を調整することで、発光部８０からの光を外周面９０ａから均等な強度で放射することができる。
【００９６】
また、導光体９０は、再反射面により内周面９０ｈ２ａ−９０ｈ５ａの一部が構成される分孔９０ｈ２−９０ｈ５を備える。そのため、導光体９０は、分孔９０ｈ２−９０ｈ５の形状や配置を調整することで、発光部８０からの光を外周面９０ａに向けて導光することができる。
【００９７】
さらに、溝９５−９８は、内周面９０ｈ２ａ−９０ｈ５ａに沿って配置される。そのため、導光体９０は、溝９５−９８と、溝９５−９８に対応する内周面９０ｈ２ａ−９０ｈ５ａと、により、発光部８０からの光を外周面９０ａに向けて導光する導光路Ｌ１１−Ｌ４２を形成する。
【００９８】
さらにまた、溝９５−９８と外周面（放射面）９０ａとの距離は、溝９５−９８のうち、発光部８０に最も近い部分（連結部９５ｃ−９８ｃ）が最も長く、溝９５−９８が発光部８０から遠ざかるに連れて短くなる。そのため、溝９５−９８の側面９５ａ１−９８ａ１，９５ｂ１−９８ｂ１を透過して第１拡散路Ｄ１１−Ｄ４１に導光される光は、第１拡散路Ｄ１１−Ｄ４１で拡散されて、外周面９０ａから均等な強度で放射される。
【００９９】
さらにまた、溝９５−９８の深さは、発光部８０に最も近い部分が最も深い。そのため、溝９５−９８に反射されることなく第１拡散路Ｄ１１−Ｄ４１や外周面９０ａに導光される光の量は、減少する。すなわち、外周面９０ａのうち、発光部８０に近い外周面９０ａに導光される光は、溝９５−９８により導光される光により占められる。その結果、発光部８０に近い外周面９０ａから放射される光の強度は、他の外周面９０ａから放射される光の強度と略同等となる。
【０１００】
さらにまた、溝９５−９８の幅は、溝９５−９８のうち、発光部８０に最も近い部分が最も広く、溝９５−９８が発光部８０から遠ざかるに連れて狭くなる。そのため、導光体９０を外周面９０ａ側から見たときの溝９５−９８による影の暗さは、第１拡散路Ｄ１１−Ｄ４１に導光される光の強度に応じて調整される。その結果、第１拡散路Ｄ１１−Ｄ４１から外周面９０ａに放射される光の強度は、均等になる。
【０１０１】
さらにまた、導光体９０は、円板状である。そのため、導光体９０は、溝９５−９８や分孔９０ｈ２−９０ｈ５を、導光体９０の周方向において等角度間隔に配置することができる。そのため、導光体９０は、導光体９０の径方向内側（導光体９０の中心側）からの光を外周面９０ａに向けて放射状に導光することができる。
【０１０２】
さらにまた、中央孔９０ｈ１と分孔９０ｈ２−９０ｈ５とから構成される孔は、底面視（平面視）において、導光体９０の中央に配置される。各入射面９１ａ−９４ａは、溝９５−９８と孔との間に、外周面９０ａと同心円状に配置される。そのため、各入射面９１ａ−９４ａは、孔により物理的に離間される。その結果、各ＬＥＤ８１−８４からの光は、各ＬＥＤ８１−８４に対応する（対向する）入射面９１ａ−９４ａにのみ入射される。
【０１０３】
さらにまた、導光体９０は、ＬＥＤ８１−８４ごとに配置される入射面９１ａ−９４ａと、入射面９１ａ−９４ａごとに配置される溝９５−９８と、を備える。そのため、各ＬＥＤ８１−８４からの光は、それぞれに対応する溝９５−９８のみに導光される。すなわち、各溝９５−９８は、対応するＬＥＤ８１−８４からの光のみを導光する。換言すれば、各溝９５−９８は、異なる（対応しない）入射面９１ａ−９４ａから入射した光を導光しない。その結果、各溝９５−９８に導光される光の強度は、安定する。
【０１０４】
さらにまた、溝９５−９８は、第１溝部９５ａ−９８ａと、第２溝部９５ｂ−９８ｂと、連結部９５ｃ−９８ｃと、を含む。各入射面９１ａ−９４ａに入射した光は、連結部９５ｃ−９８ｃを介して、第１溝部９５ａ−９８ａと、第２溝部９５ｂ−９８ｂと、に導光される。すなわち、各入射面９１ａ−９４ａに入射した光は、連結部９５ｃ−９８ｃにより、第１溝部９５ａ−９８ａと、第２溝部９５ｂ−９８ｂと、に振り分けられる（分配される）。その結果、導光体９０は、連結部９５ｃ−９８ｃの配置や形状に応じて、ＬＥＤ８１−８４からの光を第１溝部９５ａ−９８ａ（第１導光路Ｌ１１−Ｌ４１）と、第２溝部９５ｂ−９８ｂ（第２導光路Ｌ１２−Ｌ４２）と、に振り分ける（分配する）ことができる。
【０１０５】
さらにまた、第１溝部９５ａ−９８ａの形状は、導光体９０（外周面９０ａ）の半径線に対して、第２溝部９５ｂ−９８ｂの形状と対称である。その結果、導光体９０は、ＬＥＤ８１−８４からの光を第１溝部９５ａ−９８ａ（第１導光路Ｌ１１−Ｌ４１）と、第２溝部９５ｂ−９８ｂ（第２導光路Ｌ１２−Ｌ４２）と、に均等に振り分けることができる。
【０１０６】
このように、導光体９０は、ＬＥＤ８１−８４ごとに溝９５−９８と分孔９０ｈ２−９０ｈ５とにより導光路（第１導光路Ｌ１１，第２導光路Ｌ１２）を形成して、ＬＥＤ８１−８４からの光を外周面９０ａに向けて導光する。導光体９０は、溝９５−９８の側面９５ａ１−９８ａ１，９５ｂ１−９８ｂ１を反射面として機能させ、導光体９０の内周面９０ｈ２ａ−９０ｈ５ａを再反射面として機能させる。その結果、本発明にかかる導光体は、導光体９０の大きさや形状に関わらず、溝９５−９８と分孔９０ｈ２−９０ｈ５それぞれの形状や配置を調整することで、発光部８０からの光を外周面９０ａから均等な強度で放射することができる。
【０１０７】
なお、発光部は、単色に発光するＬＥＤで構成されてもよい。この場合、ＬＥＤは、例えば、１カ所に２つずつ、導光体９０の径方向に並んで配置される。複数のＬＥＤが径方向に並んで配置されることで、複数のＬＥＤからの光は、第１導光路と第２導光路とに均等に分配される。
【０１０８】
また、入射面と溝それぞれの数は、複数であればよく、「４」に限定されない。すなわち、例えば、入射面と溝それぞれの数は、「２」や「３」、「５」でもよい。この場合、分孔の数やＬＥＤの数は、入射面と溝それぞれの数に合わせて増減される。
【０１０９】
さらに、分孔は、円形状に限定されない。すなわち、例えば、分孔は、楕円形状や、多角形状、矩形状でもよい。
【０１１０】
さらにまた、導光体は、板状であれば、円板状に限定されない。すなわち、例えば、導光体は、楕円形状や、矩形板状、多角形板状でもよい。
【０１１１】
さらにまた、第１拡散路の形状は、扇状に限定されない。すなわち、例えば、第１拡散路の外周縁部は、円弧状ではなく、外周縁部が１つの角部を形成するような略菱形状でもよい。
【０１１２】
さらにまた、溝の幅は、連結部から先端部まで均一でもよい。
【０１１３】
さらにまた、導光体の厚みは、中心部から外周面に向かうに連れて薄くなってもよい。この場合、ＬＥＤからの光は、入射面から外周面に向かうに連れて集光される。
【０１１４】
さらにまた、連結部の光源側の形状は、底面視において、半円状に限定されない。すなわち、例えば、連結部の光源側の形状は、底面視において、Ｖ字状でもよい。この場合、連結部に導光される光は、効率よく、第１導光路Ｌ１１と第２導光路Ｌ１２とに分配される。
【０１１５】
さらにまた、第２反射面は、金属膜やミラーコーティングなどにより覆われてもよい。光源（ＬＥＤ）に最も近い溝である連結部は、第２反射面に配置される。そのため、導光体の径方向視において、連結部の側面の下端部は、強く光る。この光は、外周面から放射される光の強度に影響を与える。第２反射面を覆うことにより、同光が外周面から放射される光の強度に与える影響は、抑制される。
【０１１６】
さらにまた、以上説明した実施の形態では、入射面９１ａ−９４ａごとの各溝９５−９８は、相互に独立して（離間して）配置されていた。これに代えて、入射面ごとの溝が連通する、すなわち、隣接する溝同士が接続されてもよい。
【０１１７】
図１４は、本導光体の別の実施の形態を示す模式図である。
同図は、導光体９０Ａが溝９５Ａ，９６Ａを備え、溝９５Ａの第２溝部９５ｂＡと溝９６Ａの第１溝部９６ａＡとが連通溝９９Ａにより連通していることを示す。すなわち、同図は、隣接する溝９５Ａ，９６Ａ同士が連通溝９９Ａを介して連通することを示す。この構成によれば、導光体９０Ａは、第２溝部９５ｂＡと連通溝９９Ａと第１溝部９６ａＡとで構成される溝と、分孔９０ｈＡと、により、両端からの光を導光するＣ字状の導光路を形成する。換言すれば、導光体９０Ａは、導光材の両端からの光を導光する従来のＣ字状の導光材を、複数備えるのと等しい効果を奏する。
【０１１８】
さらにまた、以上説明した実施の形態では、第１溝部９５ａ−９８ａと第２溝部９５ｂ−９８ｂそれぞれの形状は、円弧状であった。これに代えて、第１溝部と第２溝部それぞれの形状は、多角形状や、直線状でもよい。
【０１１９】
図１５は、本導光体のさらに別の実施の形態を示す模式図である。
同図は、導光体９０Ｂが溝９５Ｂを備え、溝９５Ｂの第１溝部９５ａＢと第２溝部９５ｂＢとが連結部９５ｃＢから直線状に延出していることを示す。この構成によれば、導光体９０Ｂは、溝９５Ｂの先端部を連結部９５ｃＢから遠方に伸ばすことができる。その結果、例えば、導光体が矩形状であっても、発光部（不図示）からの光は、導光体の角部まで導光される。
【符号の説明】
【０１２０】
１        マイクロホン
１０        ヘッドケース（ケース）
２０        第１ハウジング（ケース）
８０        発光部（光源）
８１        ＬＥＤ
８２        ＬＥＤ
８３        ＬＥＤ
８４        ＬＥＤ
９０        導光体
９０ｈ１    中央孔
９０ｈ２    分孔
９０ｈ３    分孔
９０ｈ４    分孔
９０ｈ５    分孔
９０ｈ２ａ  内周面（再反射面）
９０ｈ３ａ  内周面（再反射面）
９０ｈ４ａ  内周面（再反射面）
９０ｈ５ａ  内周面（再反射面）
９０ａ      外周面（放射面）
９１ａ      入射面
９２ａ      入射面
９３ａ      入射面
９４ａ      入射面
９５        溝
９５ａ      第１溝部
９５ａ１    側面（反射面）
９５ｂ      第２溝部
９５ｃ      連結部
９６        溝
９６ａ      第１溝部
９６ａ１    側面（反射面）
９６ｂ      第２溝部
９６ｃ      連結部
９７        溝
９７ａ      第１溝部
９７ａ１    側面（反射面）
９７ｂ      第２溝部
９７ｃ      連結部
９８        溝
９８ａ      第１溝部
９８ａ１    側面（反射面）
９８ｂ      第２溝部
９８ｃ      連結部
【図１】
2019201365.tif 000003
【図２】
2019201365.tif 000004
【図３】
2019201365.tif 000005
【図４】
2019201365.tif 000006
【図５】
2019201365.tif 000007
【図６】
2019201365.tif 000008
【図７】
2019201365.tif 000009
【図８】
2019201365.tif 000010
【図９】
2019201365.tif 000011
【図１０】
2019201365.tif 000012
【図１１】
2019201365.tif 000013
【図１２】
2019201365.tif 000014
【図１３】
2019201365.tif 000015
【図１４】
2019201365.tif 000016
【図１５】
2019201365.tif 000017